(57)【要約】【課題】トレイ本体に給紙方向と直交する方向に移動可能に設けられ、用紙の幅に応じてその間隔が調整可能な一対の用紙ガイドと、該一対の用紙ガイドが同じ量だけ逆方向に移動するように連動させ、用紙ガイドの間隔を変化させる連動機構とを備えた給紙トレイに関し、センター振り分け方式と片端ガイド固定方式の何れをも選択できる給紙トレイを実現する。【解決手段】一対の用紙ガイド１１，２１の連動をスライダ６１，７１で解除しない限り、両者は連動し、センター振り分け方式の給紙トレイとなる。一方、スライダ７１を用いて、第２のピニオン５２と中間歯車５３との噛合を解除することにより、用紙ガイド１１，２１の連動を解除し、更に第２のピニオン５２を第２のロック爪８７に嵌合させることにより、用紙ガイド２１を左端に固定すれば、片端ガイド固定方式の給紙トレイとなる。【選択図】      図１
2004352463.tif 000002
【特許請求の範囲】
【請求項１】
トレイ本体に給紙方向と直交する方向に移動可能に設けられ、用紙の幅に応じてその間隔が調整可能な一対の用紙ガイドと、
該一対の用紙ガイドが同じ量だけ逆方向に移動するように前記用紙ガイドを連動させ、前記用紙ガイドの間隔を変化させる連動機構と、
前記連動機構による前記一対の用紙ガイドの連動を解除して、前記一対の用紙ガイドの少なくとも一方を調整位置にロック可能なロック手段と
を有する給紙トレイ。
【請求項２】
前記連動機構が、
給紙方向と直交する方向に延びた一対のラックであって、その歯先が対向するように配置され、該ラックの一方は前記一対の用紙ガイドの一方と共に給紙方向と直交する方向に移動し、他方は前記一対の用紙ガイドの他方と共に給紙方向と直交する方向に移動するラックと、
前記一対のラックの一方に噛合する第１のピニオンと、
前記一対のラックの他方に噛合する第２のピニオンと、
前記トレイ本体に回転自在に支持され、前記第１及び第２のピニオンに噛合する中間歯車とからなり、
前記ロック手段が、
前記第１及び第２のピニオンの少なくとも一方と前記中間歯車との噛合を解除する噛合解除手段と、
前記第１及び第２のピニオンの少なくとも一方の回転を規制する回転規制手段とからなる
ことを特徴とする請求項１記載の給紙トレイ。
【請求項３】
前記第１，第２のピニオンは前記中間歯車を間に挟んで配置され、前記第１，第２のピニオンをそれぞれ回転自在に支持する第１，第２のスライダが、前記トレイ本体上に、給紙方向と直交する方向に移動可能に設けられ、更に前記トレイ本体上には、前記第１，第２のスライダが押動操作されて前記第１，第２のピニオンが前記中間歯車との噛合解除位置に到達したときに、前記第１，第２のピニオンの歯にそれぞれ嵌合し、前記第１，第２のピニオンの回転を規制する第１，第２のロック爪が設けられていることを特徴とする請求項２記載の給紙トレイ。
【請求項４】
前記連動機構が、
給紙方向と直交する方向に延びた一対のラックであって、その歯先が対向するように配置され、該ラックの一方は前記一対の用紙ガイドの一方と共に給紙方向と直交する方向に移動し、他方は前記一対の用紙ガイドの他方と共に給紙方向と直交する方向に移動するラックと、
前記一対のラックの一方に噛合する第１のピニオンと、
前記一対のラックの他方に噛合する第２のピニオンと、
前記トレイ本体に回転自在に支持され、前記第１及び第２のピニオンに噛合する中間歯車とからなり、
前記ロック手段が、
前記第１或いは第２のピニオンと前記ラックとの噛合を解除する噛合解除手段と、
前記ラックとの噛合を解除された前記第１或いは第２のピニオンの回転を規制する回転規制手段とからなる
ことを特徴とする請求項１記載の給紙トレイ。
【発明の詳細な説明】
【０００１】
【発明の属する技術分野】
本発明は、トレイ本体に給紙方向と直交する方向に移動可能に設けられ、用紙の幅に応じてその間隔が調整可能な一対の用紙ガイドと、該一対の用紙ガイドが同じ量だけ逆方向に移動するように用紙ガイドを連動させ、用紙ガイドの間隔を変化させる連動機構とを備えた給紙トレイに関する。
【０００２】
【従来の技術】
一対の用紙ガイドの間隔を用紙の幅に応じて変化させる連動機構を備えた給紙トレイが広く知られている（例えば、特許文献１参照）。この給紙トレイでの一対の用紙ガイドは、給紙トレイのセンターに関して常に対称位置にあり、同じ量だけ逆方向に移動するように連動される。このため、どのサイズの用紙がセットされても、用紙の中心が給紙方向と直交する方向にずれることはない。従って、このセンター振り分け方式を採用した場合、給送ローラをセンターに関して対称に配設することで、どのサイズの用紙であっても、斜行を生じさせることなく安定に給送できるという利点がある。
【０００３】
【特許文献１】
特開平１０−１３９１７５号公報（図１、図３）
【０００４】
【発明が解決しようとする課題】
ところで、金融機関等で用いられる汎用スキャナにおいては、同一帳票の二重読み取り等を防止するため、読み取った帳票（用紙）に対しては、スキャナ内で、読み取ったことを示すデータ（例えば数桁の数値データ）を、帳票表面の左端部（或いは右端部）に印字することが行われている。
【０００５】
この帳票のサイズは複数あり、異なる幅の帳票が存在するため、センター振り分け方式の給紙トレイでは、帳票の幅によって、帳票表面の左端部（或いは右端部）の位置も給紙方向と直交する方向に変動することになる。このため、読み取ったことを示す上記データを印字すべき位置も帳票の幅によって変化することになり、帳票の幅に応じて印字位置を調整し直すという面倒な作業が必要であった。
【０００６】
この面倒さを解消するために、左端側（或いは右端側）の用紙ガイドを固定し、右端側（或いは左端側）の用紙ガイドのみを用紙の幅に応じて調整するという片端ガイド固定方式を採用することも考えられるが、汎用スキャナにおける多くの読み取りでは、センター振り分け方式での作業が望まれるため、現実には、給紙トレイを片端ガイド固定方式のものにすることもできない。
【０００７】
本発明は、上記問題を解決するためになされたもので、センター振り分け方式と片端ガイド固定方式の何れをも選択できる給紙トレイを実現しようとするものである。
【０００８】
【課題を解決するための手段】
上記課題を解決する請求項１に係る発明は、トレイ本体に給紙方向と直交する方向に移動可能に設けられ、用紙の幅に応じてその間隔が調整可能な一対の用紙ガイドと、該一対の用紙ガイドが同じ量だけ逆方向に移動するように前記用紙ガイドを連動させ、前記用紙ガイドの間隔を変化させる連動機構と、前記連動機構による前記一対の用紙ガイドの連動を解除して、前記一対の用紙ガイドの少なくとも一方を調整位置にロック可能なロック手段とを有する給紙トレイである。
【０００９】
本発明では、一対の用紙ガイドの連動を解除しない限り、センター振り分け方式の給紙トレイとして使用できる。一方、ロック手段により、用紙ガイドの連動を解除して、一方の用紙ガイドを片端（通常、左端）に固定すれば、片端ガイド固定方式の給紙トレイとして使用できる。
【００１０】
請求項２に係る発明は、請求項１に係る発明の連動機構が、給紙方向と直交する方向に延びた一対のラックであって、その歯先が対向するように配置され、該ラックの一方は前記一対の用紙ガイドの一方と共に給紙方向と直交する方向に移動し、他方は前記一対の用紙ガイドの他方と共に給紙方向と直交する方向に移動するラックと、前記一対のラックの一方に噛合する第１のピニオンと、前記一対のラックの他方に噛合する第２のピニオンと、前記トレイ本体に回転自在に支持され、前記第１及び第２のピニオンに噛合する中間歯車とからなり、請求項１に係る発明のロック手段が、前記第１及び第２のピニオンの少なくとも一方と前記中間歯車との噛合を解除する噛合解除手段と、前記第１及び第２のピニオンの少なくとも一方の回転を規制する回転規制手段とからなることを特徴とするものである。
【００１１】
本発明では、一対のラックの間に第１及び第２のピニオンと中間歯車とを配設した簡単な歯車列を用いたもので、第１及び第２のピニオンと中間歯車とを連動させることで、センター振り分け方式の給紙トレイとして使用できる。一方、第１又は第２のピニオンと中間歯車との噛合を解除し、第１又は第２のピニオンの回転を規制することで、片端ガイド固定方式の給紙トレイとして使用できる。
【００１２】
請求項３係る発明は、請求項２に係る給紙トレイにおいて、前記第１，第２のピニオンは前記中間歯車を間に挟んで配置され、前記第１，第２のピニオンをそれぞれ回転自在に支持する第１，第２のスライダが、前記トレイ本体上に、給紙方向と直交する方向に移動可能に設けられ、更に前記トレイ本体上には、前記第１，第２のスライダが押動操作されて前記第１，第２のピニオンが前記中間歯車との噛合解除位置に到達したときに、前記第１，第２のピニオンの歯にそれぞれ嵌合し、前記第１，第２のピニオンの回転を規制する第１，第２のロック爪が設けられていることを特徴とするものである。
【００１３】
本発明では、第１，第２のスライダの移動操作により、第１，第２のピニオンが中間歯車との噛合を解除すると共に第１，第２のロック爪に嵌合する。よって、用紙ガイドの連動の解除と用紙ガイドのロックを一つの操作で行うことができ、操作性が良い。
【００１４】
請求項４に係る発明は、請求項１に係る発明の連動機構が、給紙方向と直交する方向に延びた一対のラックであって、その歯先が対向するように配置され、該ラックの一方は前記一対の用紙ガイドの一方と共に給紙方向と直交する方向に移動し、他方は前記一対の用紙ガイドの他方と共に給紙方向と直交する方向に移動するラックと、前記一対のラックの一方に噛合する第１のピニオンと、前記一対のラックの他方に噛合する第２のピニオンと、前記トレイ本体に回転自在に支持され、前記第１及び第２のピニオンに噛合する中間歯車とからなり、請求項１に係る発明のロック手段が、前記第１或いは第２のピニオンと前記ラックとの噛合を解除する噛合解除手段と、前記ラックとの噛合を解除された前記第１或いは第２のピニオンの回転を規制する回転規制手段とからなることを特徴とするものである。
【００１５】
本発明では、一対のラックの間に第１及び第２のピニオンと中間歯車とを配設した簡単な歯車列を用いたので、第１及び第２のピニオンと一対のラックとを連動させることで、センター振り分け方式の給紙トレイとして使用できる。一方、第１或いは第２のピニオンとラックとの噛合を解除し、ラックとの噛合を解除された第１或いは第２のピニオンの回転を規制することで、片端ガイド固定方式の給紙トレイとして使用できる。
【００１６】
【実施の形態】
（第１の実施の形態例）
図１〜図５を用いて本発明の第１の実施の形態例を説明する。これらの図において、トレイ本体１は、装着用嵌合突起２，３でもってスキャナに取り付けられ、上面には用紙が載置されるものである。このトレイ本体１の中間部には、給紙方向に直交する方向を向いた一対の直線ガイド溝（長穴）４，５が、同一直線上に位置するように形成されている。又、直線ガイド溝４，５の両側には、これらと平行にレール６，７が形成されている。
【００１７】
一対の用紙ガイド１１，２１は、その摺動突起１２，２２がそれぞれ直線ガイド溝４，５に嵌合され、給紙方向と直交する方向に移動可能に構成されている。このため、用紙の幅に応じて、その間隔を調整できる。一対のラック３１，４１は、給紙方向と直交する方向に延び、その歯先が対向するように配置されている。
【００１８】
一方のラック３１は、用紙ガイド１１と共に給紙方向と直交する方向に移動するように、トレイ本体１のレール６に摺動可能に嵌合されると共に、用紙ガイド１１の摺動突起１２の先端に嵌着されている。同様に、ラック４１は、用紙ガイド２１と共に給紙方向と直交する方向に移動するように、トレイ本体１のレール７に摺動可能に嵌合されると共に、用紙ガイド２１の摺動突起２２の先端に嵌着されている。更に、ラック３１，４１には、それぞれ、トレイ本体１の内壁面に弾接する二つの弾性片部３２，４２が設けられ、ラック３１，４１のガタ防止が図られている。
【００１９】
このラック３１には第１のピニオン５１が噛合され、ラック４１には第２のピニオン５２が噛合され、これらピニオン５１とピニオン５２との間に、ピニオン５１，５２に噛合された中間歯車５３が配置されている。中間歯車５３は、トレイ本体１の下面中央に突設された円柱状突起８に回転自在に支持されている。
【００２０】
第１，第２のスライダ６１，７１は、その直線状突起６２，７２がトレイ本体１に穿設されたガイド長穴８１，８２に嵌合され、給紙方向と直交する方向に移動可能に構成されている。又、スライダ６１，７１には、それぞれピニオン５１，５２を回転自在に支持する軸部６３，７３も設けられている。ピニオン５１，５２の軸部６３，７３からの抜け止めは、ビス６４，７４を軸部６３，７３にねじ込むことにより行っている。
【００２１】
トレイ本体１には、軸部６３，７３の貫通及び面方向の移動を確保するために、角穴８４，８５が穿設されている。更に、トレイ本体１上には、スライダ６１，７１が押動操作されてピニオン５１，５２が中間歯車５３との噛合解除位置に到達したときに、ピニオン５１，５２の歯にそれぞれ嵌合し、ピニオン５１，５２の回転を規制するロック爪８６，８７が設けられている。尚、トレイ本体１の裏側には、裏面側に配置された部品を覆うために、裏カバー９１が固定されている。
【００２２】
ラック３１，４１とピニオン５１，５２と中間歯車５３とは、用紙ガイド１１，２１が同じ量だけ逆方向に移動するように用紙ガイド１１，２１を連動させ、用紙ガイド１１，２１の間隔を変化させる連動機構を構成する。一方、連動機構による用紙ガイド１１，２１の連動を解除させ、用紙ガイド１１，２１を調整位置にロック可能なロック手段は、ピニオン５１，５２と中間歯車５３との噛合を解除する噛合解除手段（スライダ６１，７１）と、ピニオン５１，５２の回転を規制する回転規制手段（ロック爪８６，８７）とからなる。
【００２３】
本形態例は、一対の用紙ガイド１１，２１の連動（第１及び第２のピニオン５１，５２と中間歯車５３との連動）をスライダ６１，７１で解除しない限り、センター振り分け方式の給紙トレイとして使用できる。例えば、一対の用紙ガイド１１，２１の一方を両者の間隔が広がるように移動させると、これに連動して、他方も間隔が広がるように移動する。
【００２４】
一方、例えばスライダ７１を用いて、第２のピニオン５２と中間歯車５３との噛合を解除することにより、用紙ガイド１１，２１の連動を解除して、第２のピニオン５２を第２のロック爪８７に嵌合させることにより、用紙ガイド２１を左端に固定すれば、片端ガイド固定方式の給紙トレイとして使用できる。この場合、用紙ガイド１１は用紙ガイド２１には関係なく位置調整できる。そこで、用紙ガイド１１については、用紙の幅に合わせた位置に固定する。即ち、スライダ６１を操作し、第１のピニオン５１を第１のロック爪８６に嵌合させる。
【００２５】
片端ガイド固定方式の給紙トレイの状態からセンター振り分け方式の給紙トレイの状態に戻すには、用紙ガイド１１，２１がセンターに関して対称位置に来るように（用紙ガイド１１，２１の中心がセンターに来るように）用紙ガイド１１，２１を一旦移動させた状態にて、スライダ６１，７１により、ピニオン５１，５２と中間歯車５３とを噛合させればよい。
【００２６】
この戻し操作を容易にするには、用紙ガイド１１を右端に移動させ、用紙ガイド２１を左端に移動させた状態にすると、用紙ガイド１１，２１の中心がセンターに来るように構成しておき、用紙ガイド１１を右端に移動させ、用紙ガイド２１を左端に移動させた状態にて、ピニオン５１，５２と中間歯車５３とを再度噛合させればよい。
【００２７】
尚、連動機構による連動を解除した状態では、用紙ガイド２１を任意の位置に移動させ、そこに固定することもできる。
【００２８】
本形態例は、一対のラック３１，４１の間に第１及び第２のピニオン５１，５２と中間歯車５３とを配設した歯車列を用いたものであるため、連動機構やロック手段を簡単な構成で実現できる。しかも、本形態例では、第１，第２のスライダ６１，７１の移動操作により、それぞれ、第１，第２のピニオン５１，５２が中間歯車５３との噛合を解除すると共に第１，第２のロック爪８６，８７に嵌合する。よって、用紙ガイド１１，２１の連動の解除と用紙ガイド１１，２１のロックを一つの移動操作で連続して行うことができ、操作性が良い。
（第２の実施の形態例）
図６〜図７を用いて本発明の第２の実施の形態例を説明する。これらの図において、図１〜図５と対応する部分には同一符号を付し、説明を省略する。本形態例の特徴は、スライダ６１，７１を裏カバー９１側に設け、スライダ６１，７１が用紙の給送の邪魔になることを避けたものである。
（第３の実施の形態例）
図８〜図９を用いて本発明の第３の実施の形態例を説明する。これらの図において、図１〜図５と対応する部分には同一符号を付し、説明を省略する。本形態例における連動機構は、第１の実施の形態例と同様な構成の一対のラック３１，４１と、ラック３１に噛合する第１のピニオン５１と、ラック４１に噛合する第２のピニオン５２と、トレイ本体１に回転自在に支持され、第１及び第２のピニオン５１，５２に噛合する中間歯車５３とからなる。
【００２９】
又、本形態例における第１，第２のスライダ６１，７１は、直線状突起６２，７２を有しておらず、その軸部６３，７３がトレイ本体１に穿設された円弧状ガイド長穴（円弧の中心は円柱状突起８の中心）８８，８９に摺動可能に嵌合され、この円弧状ガイド長穴８８，８９に沿って移動するように構成されている。又、このスライダ６１，７１の軸部６３，７３には、第１の実施の形態例と同様に、それぞれピニオン５１，５２が回転自在に支持されている。
【００３０】
更に、本形態例でのロック爪８６，８７は、スライダ６１，７１が押動操作されてピニオン５１，５２がラック３１，４１との噛合解除位置に到達したときに、ピニオン５１，５２の歯にそれぞれ嵌合し、ピニオン５１，５２の回転を規制する位置に設けられている。
【００３１】
ラック３１，４１とピニオン５１，５２と中間歯車５３とは、用紙ガイド１１，２１が同じ量だけ逆方向に移動するように連動させ、用紙ガイド１１，２１の間隔を変化させる連動機構を構成する。一方、本形態例におけるロック手段は、連動機構による一対の用紙ガイド１１，２１の連動を解除して、用紙ガイド１１或いは用紙ガイド２１を調整位置にロックするもので、ピニオン５１或いはピニオン５２とラック３１，４１との噛合を解除する噛合解除手段（スライダ６１，７１）と、噛合を解除されたピニオン５１或いはピニオン５２の回転を規制する回転規制手段（ロック爪８６，８７）とからなる。
【００３２】
本形態例では、スライダ６１，７１の何れか一方、例えばスライダ６１を図９における矢印方向に移動させ、噛合を解除されたピニオン５１の回転をロック爪８６で規制させる。一方、他方のスライダ７１は図９の位置に保持し、ピニオン５２とラック４１との噛合状態を維持しておく。これにより、ラック４１及び左端側の用紙ガイド２１はロックされる。尚、本形態例では、用紙ガイド１１はロックできないが、用紙ガイド１１の摺動抵抗を大きく構成しておけば、実用上問題は生じない。
【００３３】
このように、本形態例も、一対のラック３１，４１の間に第１及び第２のピニオン５１，５２と中間歯車５３とを配設した歯車列を用いたものであるため、連動機構やロック手段を簡単な構成で実現できる。しかも、本形態例では、第１或いは第２のスライダ６１，７１の移動操作により、第１或いは第２のピニオン５１，５２が第１或いは第２のラック３１，４１との噛合を解除すると共に第１或いは第２のロック爪８６，８７に嵌合する。よって、第１或いは第２の用紙ガイド１１，２１の連動の解除とロックを一つの移動操作で連続して行うことができ、操作性が良い。
（第４の実施の形態例）
図１０を用いて本発明の第４の実施の形態例を説明する。図４において、図１〜図５と対応する部分には同一符号を付し、説明を省略する。本形態例は、スライダ７１を例にとって、各スライダの操作時に節度感を与える構成例を示したものである。本構成では、スライダ７１の直線状突起７２の一部に凸部７２ａを設け、この凸部の移動軌跡上に先端が突き出た片持ち弾性梁９０をトレイ本体１に形成し、スライダ７１がロック位置に到達するときに、凸部７２ａが片持ち弾性梁９０を弾性変形させて乗り越えるように構成されている。これにより、操作者は、スライダ７１がロック位置に到達したことを容易に認識できると共に、ピニオン５２とロック爪８７との噛合状態を良好に保てる。
（その他の実施の形態例）
本発明は上記形態例に限られるものではない。例えば、上記形態例では、ピニオン５１，５２の移動をその平面方向に行ったが、軸方向に移動するようにしてもよい。この場合、ロック爪８６，８７は、ピニオン５１，５２の軸方向に変位した位置に配置することになる。ロック手段も上記形態例に限る必要はない。
【００３４】
【発明の効果】
以上説明したように、請求項１〜４に係る発明によれば、一対の用紙ガイドの連動を解除しない限り、センター振り分け方式の給紙トレイとして使用でき、ロック手段により、用紙ガイドの連動を解除して、一方の用紙ガイドを片端に固定すれば、片端ガイド固定方式の給紙トレイとして使用できる給紙トレイを実現できる。
【００３５】
加えて、請求項２に係る発明によれば、一対のラックの間に第１及び第２のピニオンと中間歯車とを配設した歯車列を用いたので、連動機構やロック手段を簡単な構成で実現できる。
【００３６】
更に、請求項３に係る発明によれば、第１，第２のスライダの移動操作により、第１，第２のピニオンが中間歯車との噛合を解除すると共に第１，第２のロック爪に嵌合するので、用紙ガイドの連動の解除と用紙ガイドのロックを一つの操作で行うことができ、操作性が良い給紙トレイを実現できる。
【００３７】
又、請求項４に係る発明によれば、一対のラックの間に第１及び第２のピニオンと中間歯車とを配設した歯車列を用いたので、連動機構やロック手段を簡単な構成で実現できる。
【図面の簡単な説明】
【図１】本発明の第１の実施の形態例を示す一部破断底面図である。
【図２】本発明の第１の実施の形態例を示す平面図である。
【図３】本発明の第１の実施の形態例を示す上面側の斜視図である。
【図４】本発明の第１の実施の形態例を示す下面側の斜視図である。
【図５】本発明の第１の実施の形態例を示す分解斜視図である。
【図６】本発明の第２の実施の形態例を示す平面図である。
【図７】本発明の第２の実施の形態例を示す底面図である。
【図８】本発明の第３の実施の形態例を示す一部破断底面図である。
【図９】本発明の第３の実施の形態例を示す平面図である。
【図１０】本発明の第４の実施の形態例の主要部を示す下面側の斜視図である。
【符号の説明】
１              トレイ本体
２，３          装着用嵌合突起
１１，２１      用紙ガイド
１２，２２      摺動突起
３１，４１      ラック
５１，５２      ピニオン
５３            中間歯車
６１，７１      スライダ
６２，７２      直線状突起
６３，７３      軸部
８６，８７      ロック爪
８８，８９      円弧状ガイド長穴
９０            弾性梁
９１            裏カバー
【図１】
2004352463.tif 000003
【図２】
2004352463.tif 000004
【図３】
2004352463.tif 000005
【図４】
2004352463.tif 000006
【図５】
2004352463.tif 000007
【図６】
2004352463.tif 000008
【図７】
2004352463.tif 000009
【図８】
2004352463.tif 000010
【図９】
2004352463.tif 000011
【図１０】
2004352463.tif 000012